(57)【要約】【課題】  主電源部をOFFさせる機能持ったICを使用する場合において、時間割合の多い待機時に、OFF信号を送らないことで、待機時の消費電力をさらに抑えることである。【解決手段】  主電源部の電源をOFFさせる機能持った制御ICの周辺回路であって、電力が供給されると負荷への電力供給を遮断させる機能をもった第一の端子と、第一の端子に電力を供給する第二の端子と、第二の端子とGND間に二つの直列に接続された分圧抵抗の後に直列に接続され、前記第一の端子への電力供給を制御するフォトカプラと、補助電源部で駆動する前記第１のフォトカプラへ通電をＯＮ／ＯＦＦする制御部と、を備え、前記第一の端子は電源が投入された瞬間に第二の端子に電力を供給し、前記第一のフォトカプラをオンすることなく、負荷への電力供給を遮断することを特徴とする制御装置。【選択図】図２
2014182686.tif 000002
【特許請求の範囲】
【請求項１】
電気回路の主電源部の電源をOFFさせる機能を持った制御ICの周辺回路であって、電力が供給されると負荷への電力供給を遮断させる機能をもった第一の端子と、第一の端子に電力を供給する第二の端子と、第二の端子とGND間に二つの直列に接続された分圧抵抗の後に直列に接続され、第一の端子の電力供給を制御するフォトカプラと、補助電源部で駆動する前記フォトカプラへの通電をＯＮ／ＯＦＦする制御部と、を備え、前記第一の端子は電源が投入された瞬間に第二の端子に電力を供給し、前記第一のフォトカプラをオンすることなく、負荷への電力供給を遮断することを特徴とする制御装置。
【請求項２】
第一の端子とGND間に直列に接続されたコンデンサを備え、遅延回路を設けることを特徴とする制御装置。
【発明の詳細な説明】
【技術分野】
【０００１】
本発明は、待機時での消費電力を低減させる制御装置に関する発明である。
【背景技術】
【０００２】
温水洗浄装置や暖房便座等の電気機器へ電力を供給する電源部にはトランス電源やスイッチング電源が用いられる。この種の電源部は、リモコン部に設けた電源スイッチで全ての電気部品動作を停止させた待機状態のときも通電状態に維持されるため、トランスや電源回路に励磁電流が流れ、電力消費が生ずる。つまり、不使用時においても電力を消費するため、不経済である。
【０００３】
図１にその問題を解決させるために使用されている制御装置のブロック図を示す。主電源部１７をOFFさせる機能を持った制御IC１２を用いて、待機時における電力の低消費を実現している。
制御IC電源供給部１に電力が供給されると、制御IC電源供給ライン２を経由して、制御IC電源入力部３に電力が供給される。制御IC入力部３に供給された電力により、制御IC１２は稼動し、オフ端子電力供給部４に電力が供給される。
【０００４】
また、制御IC１２が稼動すると、負荷制御信号出力端子１１に電力が供給され、負荷電力制御部１４へ電力を供給することで、負荷電力供給部１３から負荷１５への電力供給を可能にする。待機時に入ると補助電源部１０から電力がフォトカプラ制御部９に供給され、フォトカプラ７に信号が送信され、フォトカプラ７がONになり、オフモード移行端子５aに電力が供給される。オフモード移行端子５aに電力が供給されるとオフモード移行端子５aは通電ON/OFF制御部５bにOFF信号を送信する。通電ON/OFF制御部５ｂにOFF信号が送信されたことにより、負荷制御信号出力端子１１に供給される電力は遮断され、負荷電力制御部１４へ電力を供給できなくなり、負荷電力供給部１３から負荷１５への電力供給は遮断され、電源OFFモードに入り、トランスや電源部へ流れ込む励磁電流を遮断することが出来る。
【０００５】
しかし、制御ICにおいてOFFモードに移行させるにはフォトカプラ７を常にONし続けなければならない。つまり、待機状態で常に主電源部１７とは別に補助電源部１０で前記制御IC１２を動かし続けなければならず、その分、待機時での電力消費が増加する。
【発明の概要】
【発明が解決しようとする課題】
【０００６】
本発明は、上記問題を解決するためになされたもので、本発明の課題は、時間割合の多い待機時に、OFF信号を送らないことで、待機時の消費電力をさらに抑えることである。
【課題を解決するための手段】
【０００７】
主電源部の電源をOFFさせる機能持った制御ICの周辺回路であって、電力が供給されると負荷への電力供給を遮断させる機能をもった第一の端子と、第一の端子に電力を供給する第二の端子と、第二の端子とGND間に二つの直列に接続された分圧抵抗の後に直列に接続され、第一の端子の電力供給を制御するフォトカプラと、補助電源部で駆動する前記フォトカプラへ通電をＯＮ／ＯＦＦする制御部と、を備え、前記第一の端子は電源が投入された瞬間に第二の端子に電力を供給し、前記第一のフォトカプラをオンすることなく、負荷への電力供給を遮断することを特徴とする制御装置である。
【０００８】
この制御装置によれば、時間割合の多い待機時に、補助電源部によりフォトカプラにON信号を送る必要がないため、待機時の消費電力を抑えることができると共に、トータル消費電力も抑えることができる。
【０００９】
第２の発明によれば、第一の端子とGND間に直列に接続されたコンデンサを備え、遅延回路を設けることを特徴とする制御装置。
【００１０】
この制御装置によれば、初期電源起動時において、第二の端子への電力供給よりも第一の端子への電力供給を遅らすことが出来、起動不良を防ぐことが出来る。
【００１１】
本発明によれば、時間割合の多い待機時に、OFF信号を送らないことで、待機時の消費電力をさらに抑えることが出来る。
【図面の簡単な説明】
【００１２】
【図１】従来技術である開示されているOFF端子付き制御ICの周辺回路を示すブロック図である。
【図２】本発明の実施の形態に関わる制御ICの周辺回路を示すブロック図である。
【発明を実施するための形態】
【００１３】
以下、本発明の実施形態について図面を参照して詳細に説明する。  図２は、本発明の実施の形態に係るOFF端子付き制御ICの周辺回路を示すブロック図である。
本実施形態に係る制御IC１２は、制御IC電源入力部３、オフ端子電力供給部４、オフモード移行制御部５a、５b、GND端子６及び負荷制御信号出力端子１１を備える。
【００１４】
負荷電力供給部１３は負荷電力制御部１４によりON/OFFを制御され、負荷１５へと接続されており、負荷電力制御部１４は負荷制御信号出力端子１１の電力を受け取って負荷１５への電力供給の制御を行っている。
【００１５】
制御IC電源供給部１に供給された電力は制御IC電源供給ライン２を経由して、制御IC電源入力部３に供給される。
【００１６】
制御IC入力部３に供給された電力により、制御IC１２は稼動し、オフ端子電力供給部４に電力が供給される。
【００１７】
待機状態の場合、オフ端子電力供給部４に供給された電力は分圧抵抗８aを経由してオフモード移行端子５aに供給され、通電ON/OFF制御部５bにOFF信号を送信する。
【００１８】
通電ON/OFF制御部５ｂにOFF信号が送信されたことにより、負荷制御信号出力端子１１に供給される電力は遮断される。負荷制御信号出力端子１１に電力が供給されなくなったことにより、負荷電力制御部１４へ信号を送信できなくなり、負荷電力供給部１３から負荷１５への電力供給は遮断され、電源OFFモードに入り、トランスや電源部へ流れ込む励磁電流を遮断することが出来る。よって、補助電源部１０を動作させることなく待機状態での消費電力をさらに抑えることが出来る。
【００１９】
待機状態から通常使用状態に遷移する際には補助電源部１０によりフォトカプラ制御部９に電力を供給し、分圧抵抗８ｂとGND端子６の間に接続されたフォトカプラ７に電力を供給し、前記フォトカプラ７がON状態となり、オフモード移行端子５aに供給されていた電力は分圧抵抗８a、８bにより分圧され、通電ON/OFF部５bにOFF信号を送信できなくなり、負荷制御信号出力端子１１に電力が供給され、負荷電力制御部１４へ信電力を供給できるようにすることで、負荷電力供給部１３から負荷１５への電力供給を可能にする。
【００２０】
コンデンサ１６はオフモード移行端子５aとGND端子6の間に分圧抵抗８ｂとフォトカプラ７と並列に接続されている。コンデンサ１６を接続することにより、オフモード移行端子５aへの電力供給をオフ端子電力供給部４の電力供給よりも遅らせる事が出来る。オフ端子電力供給部４に比べ、オフモード移行端子５aの電圧が遅延することにより、遅延した時間分だけ負荷制御信号出力端子１１から負荷制御部１４への電力供給が行われ、負荷１５及び補助電源部１０への電力供給が出来、初期起動時でも起動不良を起こすことなく起動することが出来る。
【符号の説明】
【００２１】
１…制御IC電源供給部、２…制御IC電源供給ライン、３…制御IC電源入力部、４…オフ端子電力供給部、５a…オフモード移行端子、５b…通電ON/OFF部、６…GND端子、７…フォトカプラ、８a、８b…分圧抵抗、９…フォトカプラ制御部、１０…補助電源部、１１…負荷制御信号出力端子、１２…制御IC、１３…負荷電力供給部、１４…負荷電力制御、１５…負荷、１６…コンデンサ、１７…主電源部
【図１】
2014182686.tif 000003
【図２】
2014182686.tif 000004